(57)【特許請求の範囲】
【請求項１】
表示部と入力部とを有すると共に、コンピュータネットワークのノードに無線通信網を介して画像表示用データを取り込み可能に接続される携帯型無線電話機と、その携帯型無線電話機に無線通信装置を介して、その携帯型無線電話機に取り込まれた前記画像表示用データと、その入力部の操作により生成される入力データとを取り込み可能に接続される携帯可能な制御装置と、その制御装置に接続される頭部装着型表示装置とを備え、その制御装置により、その画像表示用データに対応する画像を前記表示部と前記頭部装着型表示装置の中の何れにおいて表示するかが、その画像表示用データに対応するページの画像の大きさに基づき判定され、その判定結果に応じて前記表示部と前記頭部装着型表示装置の中の一方に、その制御装置から前記画像表示用データに対応する信号が送られることで、その画像が表示されることを特徴とする情報表示システム。
【請求項２】
前記表示部と前記頭部装着型表示装置とは、前記入力部の操作により生成される入力データに応じて前記制御装置から信号が送られることで画像を表示する請求項１に記載の情報表示システム。
【発明の詳細な説明】
【０００１】
【発明の属する技術分野】
本発明は、携帯可能なコンピュータに接続された頭部装着型表示装置と携帯型無線電話機とにより、インターネット情報等を無線通信技術を利用して表示する情報表示システムに関するものである。
【０００２】
【従来の技術】
近年、小型表示器を有するハンドヘルドタイプコンピュータ、携帯型無線電話機、頭部装着型表示装置（ＨＭＤ）と組み合わされて衣服のポケット等に収納されたり身体に装着されるモバイルコンピュータといった携帯性に優れた情報端末が普及してきている。
【０００３】
【発明が解決しようとする課題】
情報端末により情報量の多い画像を表示しようとすると、ハンドヘルドタイプコンピュータではフラットパネルディスプレイ等の小型表示器のサイズが大きくなり、重量も大きくなることから携帯性が損なわれる。携帯型無線電話機では大型のディスプレイを搭載することはできないため、情報量の多い画像の表示は困難である。頭部装着型表示装置によれば情報量の多い画像でも表示できるが、頭部装着型表示装置を制御するモバイルコンピュータはキーボードやトラックボール等の入力装置と一体化されているため、携帯性、操作性に劣る。
【０００４】
本発明は、上記問題を解決することのできる情報表示システムを提供することを目的とする。
【０００５】
【課題を解決するための手段】
本発明の情報表示システムは、表示部と入力部とを有すると共に、コンピュータネットワークのノードに無線通信網を介して画像表示用データを取り込み可能に接続される携帯型無線電話機と、その携帯型無線電話機に無線通信装置を介して、その携帯型無線電話機に取り込まれた前記画像表示用データと、その入力部の操作により生成される入力データとを取り込み可能に接続される携帯可能な制御装置と、その制御装置に接続される頭部装着型表示装置とを備え、その制御装置により、その画像表示用データに対応する画像を前記表示部と前記頭部装着型表示装置の中の何れにおいて表示するかが、その画像表示用データに対応するページの画像の大きさに基づき判定され、その判定結果に応じて前記表示部と前記頭部装着型表示装置の中の一方に、その制御装置から前記画像表示用データに対応する信号が送られることで、その画像が表示されることを特徴とする。
上記構成によれば、頭部装着型表示装置により情報量の多い高解像度の画像を表示することができる。その制御装置は表示部と操作スイッチ類を必要とせず、低コストで製造でき、小型軽量化が可能であり、衣類のポケットに入れて使用することが可能になる。また、ブルートゥース（Bluetooth ）のような近距離無線通信規格に従った局所無線装置を内蔵した携帯型無線電話機は低コストで入手可能である。
【０００６】
前記表示部と前記頭部装着型表示装置とは、前記入力部の操作により生成される入力データに応じて前記制御装置から信号が送られることで画像を表示するのが好ましい。
これにより、携帯型無線電話機の入力部の操作に応じた画像を頭部装着型表示装置あるいは携帯型無線電話機の表示部に表示することができ、操作性に優れたものである。
【０００７】
【発明の実施の形態】
図１に示す情報表示システム１は、頭部装着型表示装置２と、この頭部装着型表示装置２を制御するモバイルコンピュータ（制御装置）３と、携帯型無線電話機４とにより構成されている。
【０００８】
その頭部装着型表示装置２は、使用者の頭部に着脱可能な装着部２ａと、この装着部２ａにより保持される表示部２ｂとを備える。本実施形態の頭部装着型表示装置２は使用者の片眼にのみ画像を視認させる単眼タイプであるが、両眼タイプであってもよい。その装着部２ａは、図示のものではバンド状とされているが、キャップ状や眼鏡状であってもよく、また、眼鏡に着脱されるクリップ状であってもよい。その表示部２ｂは、例えば小型の液晶表示器等の画像表示光を出射するディスプレイと、その画像表示光を使用者の片眼に導く光学系とを備え、そのディスプレイにより表示される高解像度の高精細画像を、その光学系により使用者の前方０．５〜２ｍの位置に拡大して結像する。この頭部装着型表示装置２は公知のものを用いることができる。
【０００９】
そのモバイルコンピュータ３は、例えば使用者の衣類のポケットに収納されたり、身体にベルト等を介して装着される小型コンピュータにより構成され、その頭部装着型表示装置２に細いケーブル５を介して接続される。その携帯型無線電話機４は、番号や文字入力のためのキースイッチ等により構成される入力部４ａおよび小型ディスプレイにより構成される表示部４ｂを備えている。その表示部４ｂの表示解像度は頭部装着型表示装置２の表示解像度よりも低いものである。
【００１０】
その携帯型無線電話機４は、広域無線通信網の基地局６と通信を行うことで、公衆回線を通じてインターネットバックボーン等のコンピュータネットワークの回線に接続され、そのコンピュータネットワークを構成するノードに画像表示用データを取り込み可能に接続される。
【００１１】
そのモバイルコンピュータ３は、その携帯型無線電話機４に無線通信装置３′、４′を介してデータ通信可能に接続され、その携帯型無線電話機４に取り込まれた上記画像表示用データと、上記入力部４ａの操作により生成される入力データとを取り込むことができる。そのモバイルコンピュータ３と携帯型無線電話機４とに組み込まれる無線通信装置３′、４′は、例えばブルートゥース（Bluetooth ）のような近距離無線通信規格に従ったものを用いることができる。
【００１２】
そのモバイルコンピュータ３と携帯型無線電話機４とが起動されると、そのモバイルコンピュータ３から無線通信装置３′、４′を介して送られるプログラムが携帯型無線電話機４にロードされる。図２に示すように、その携帯型無線電話機４は、そのプログラムに従い、広域無線通信網から送信されるデータをモバイルコンピュータ３に送るゲートウエイ機能と、そのモバイルコンピュータ３から送られるデータに対応する画像を自身のディスプレイにより表示させるための画像信号を生成するミニブラウザ機能と、自身の入力部４ａの操作により生成される入力データをモバイルコンピュータ３に送信する入力機能を実行する。
【００１３】
そのモバイルコンピュータ３は、データキャッシュ機能、キーボードカーソルエミュレータ機能、ページ記述言語解析機能、ページサイズ判定機能、フルサイズブラウザ機能を有する。そのデータキャッシュ機能により、携帯型無線電話機４を介して例えばインターネットのノードから送られるウェブページ記述言語にて記述された画像表示用データが、再利用できるように保存される。そのキーボードカーソルエミュレータ機能により、携帯型無線電話機４の入力部４ａから取り込まれた入力信号が、入力装置として一般的に用いられるキーボードやマウス等により生成されるキー信号やポインティングカーソル信号に模擬される。そのページ記述言語解析機能により、そのウェブページ記述言語にて記述された画像表示用データが解析される。そのページサイズ判定機能により、その解析された画像表示用データに対応するページの画像の大きさに基づき、その画像が頭部装着型表示装置２と携帯型無線電話機４の表示部４ｂの何れで表示されるかが判定される。例えば、その画像のページ全体を表示部４ｂにより一挙に表示できる場合は表示部４ｂにより表示すると判定し、一挙に表示できなければ頭部装着型表示装置２により表示すると判定する。その判定結果に応じて、モバイルコンピュータ３は表示部４ｂと頭部装着型表示装置２の中の一方に、その画像表示用データに対応する信号を送る。すなわち、その頭部装着型表示装置２により画像を表示すると判定した場合は、フルサイズブラウザ機能により、頭部装着型表示装置２により表示すると判定された画像に対応する画像信号を生成して頭部装着型表示装置２に送る。その携帯型無線電話機４の表示部４ｂにより画像を表示すると判定した場合は、携帯型無線電話機４のミニブラウザ機能により画像信号を生成するための画像表示用データに対応する信号を携帯型無線電話機４に送る。また、そのキーボードカーソルエミュレータ機能を介してモバイルコンピュータ３に取り込まれた携帯型無線電話機４の入力部４ａの操作による入力信号に応じて、ページ記述言語解析機能により解析される画像表示用データのページを変更し、これにより頭部装着型表示装置２あるいは表示部４ｂにより表示される画像を変更することが可能とされている。また、その入力信号に応じて、そのモバイルコンピュータ３のオペレーションシステム（ＯＳ）上で動作する汎用アプリケーションソフトウェアを制御することが可能とされている。その汎用アプリケーションソフトウェアの動作により生成される画像信号は、その頭部装着型表示装置２により表示可能とされている。すなわち、その表示部４ｂと頭部装着型表示装置２とは、携帯型無線電話機４の入力部４ａの操作により生成される入力データに応じてモバイルコンピュータ３から信号が送られることで画像を表示する。
【００１４】
上記構成によれば、頭部装着型表示装置２により情報量の多い高解像度の画像を表示することができる。また、モバイルコンピュータ３は表示部と操作スイッチ類を必要としないので低コストで製造でき、小型軽量化が可能であり、衣類のポケットに入れて使用することが可能になる。さらに、ブルートゥース（Bluetooth ）のような近距離無線通信規格に従った局所無線装置を内蔵した携帯型無線電話機４は低コストで入手可能である。そして、携帯型無線電話機４における入力部４ａの操作に応じた画像を頭部装着型表示装置２あるいは携帯型無線電話機４の表示部４ｂに表示することができ、マウスやトラックボールよりも操作性がよく、かつワイヤレスの入力装置が実現でき、操作性に優れたものである。
【００１５】
本発明は上記実施形態に限定されない。例えば、上記実施形態では携帯型無線電話機４は広域無線通信網に基地局６を介して接続されるが、ローカルな無線通信網に専用の無線通信回線を介して接続されてもよく、それにより構内無線画像表示システムを構築できる。
【００１６】
【発明の効果】
本発明によれば、低コストで操作性が良い小型軽量の情報表示システムを提供できる。
【図面の簡単な説明】
【図１】本発明の実施形態の情報表示システムの構成説明図
【図２】本発明の実施形態の情報表示システムの機能説明図
【符号の説明】
２  頭部装着型表示装置
３  モバイルコンピュータ（制御装置）
３′  無線通信装置
４  携帯型無線電話機
４′  無線通信装置
４ａ  入力部
４ｂ  表示部
【図１】
0004046478.tif 000002
【図２】
0004046478.tif 000003